(57)【要約】【課題】表示パネルモジュールを表示パネル装着用モジュールに装着したときにのみ表示パネルを駆動する。【解決手段】表示パネル１２を有する表示パネルモジュール１０と、電源２２及び表示パネル駆動回路２５を有する表示パネル装着用モジュール２０とを着脱自在に設け、表示パネルモジュール１０を表示パネル装着用モジュール２０に装着して両モジュール１０，２０同士を電気的に接続したときにのみ表示パネル１２を駆動できるように構成した表示装置１を提供する。【選択図】図１
2010181575.tif 000002
【特許請求の範囲】
【請求項１】
箱状に形成された筐体と、
前記筐体の前面側に取り付けられた表示パネルと、
前記表示パネルから引き出された一対の第１導電性ワイヤを介して電気的に接続されて、前記筐体の底面側に露出した状態で取り付けられた一対の第１導電性端子と、
を備えたことを特徴とする表示パネルモジュール。
【請求項２】
前記表示パネルは、無機ＥＬパネル，有機ＥＬパネル，液晶パネル，ＬＥＤパネルのうちのいずれか一つであることを特徴とする請求項１記載の表示パネルモジュール。
【請求項３】
請求項１又は請求項２記載の表示パネルモジュールを着脱自在に装着するための表示パネル装着用モジュールであって、
前記表示パネルモジュールを位置決めして装着するための装着面を有する表示パネルモジュール支持台と、
前記表示パネルモジュールの前記表示パネルを駆動させるための電源と、
前記装着面側に取り付けられて、前記表示パネルモジュールの前記装着面への装着状態を検出する表示パネル装着状態検出器と、
前記装着面上に前記表示パネルモジュールが装着されているか否かを前記表示パネル装着状態検出器からの出力により判断する制御回路と、
前記制御回路で前記表示パネルモジュールが装着されたと判断したときにのみ前記電源が接続されて表示パネル駆動信号を生成して出力する表示パネル駆動回路と、
前記表示パネル駆動回路から引き出された一対の第２導電性ワイヤを介して電気的に接続され且つ前記表示パネルモジュールに設けた前記一対の第１導電性端子が接離するために前記装着面側に露出した状態で取り付けられた一対の第２導電性端子と、
を備えたことを特徴とする表示パネル装着用モジュール。
【請求項４】
前記表示パネルモジュール支持台は、複数台の前記表示パネルモジュールを前記装着面上に並設可能に載置し、且つ、複数台のうちで最前列に位置する前記表示パネルモジュールのみが前記一対の第１導電性端子と前記一対の第２導電性端子とに電気的に接続されることを特徴とする請求項３記載の表示パネル装着用モジュール。
【請求項５】
表示パネルモジュールと、この表示パネルモジュールを装着するための表示パネル装着用モジュールとを着脱自在に構成した表示装置であって、
前記表示パネルモジュールは、箱状に形成された筐体と、
前記筐体の前面側に取り付けられた表示パネルと、
前記表示パネルから引き出された一対の第１導電性ワイヤを介して電気的に接続されて、前記筐体の底面側に露出した状態で取り付けられた一対の第１導電性端子と、を備え、
前記表示パネル装着用モジュールは、前記表示パネルモジュールを位置決めして装着するための装着面を有する表示パネルモジュール支持台と、
前記表示パネルモジュールの前記表示パネルを駆動させるための電源と、
前記装着面側に取り付けられて、前記表示パネルモジュールの前記装着面への装着状態を検出する表示パネル装着状態検出器と、
前記装着面上に前記表示パネルモジュールが装着されているか否かを前記表示パネル装着状態検出器からの出力により判断する制御回路と、
前記制御回路で前記表示パネルモジュールが装着されたと判断したときにのみ前記電源が接続されて表示パネル駆動信号を生成して出力する表示パネル駆動回路と、
前記表示パネル駆動回路から引き出された一対の第２導電性ワイヤを介して電気的に接続され且つ前記表示パネルモジュールに設けた前記一対の第１導電性端子が接離するために前記装着面側に露出した状態で取り付けられた一対の第２導電性端子と、を備え、
前記表示パネルモジュールが前記表示パネル装着用モジュールに装着されて前記表示パネルモジュールに設けた前記一対の第１導電性端子と、前記表示パネル装着用モジュールに設けた前記一対の第２導電性端子とが電気的に接続されたときにのみ、前記表示パネルが駆動されることを特徴とする表示装置。
【請求項６】
前記表示パネルは、無機ＥＬパネル，有機ＥＬパネル，液晶パネル，ＬＥＤパネルのうちのいずれか一つであることを特徴とする請求項５記載の表示装置。
【請求項７】
前記表示パネルが前記無機ＥＬパネルである場合に、前記表示パネル駆動回路は所定周波数の交流駆動型であることを特徴とする請求項６記載の表示装置。
【請求項８】
前記表示パネルが前記有機ＥＬパネル，前記液晶パネル，前記ＬＥＤパネルのうちのいずれか一つである場合に、前記表示パネル駆動回路は直流駆動型であることを特徴とする請求項６記載の表示装置。
【発明の詳細な説明】
【技術分野】
【０００１】
本発明は、表示パネルを有する表示パネルモジュールと、電源及び表示パネル駆動回路を有する表示パネル装着用モジュールとを着脱自在に設け、表示パネルモジュールを表示パネル装着用モジュールに装着して両モジュール同士を電気的に接続したときにのみ表示パネルを駆動できるように簡単な構造により構成した表示パネルモジュール、表示パネル装着用モジュール及び表示装置に関するものである。
【背景技術】
【０００２】
一般的に、画像情報や文字情報を表示したり、あるいは、バックライト用の照明光を表示できる表示パネルとして、小型で薄型の無機ＥＬ（エレクトロルミネッセンス）パネル，有機ＥＬパネル，液晶パネル，ＬＥＤ（発光ダイオード）パネルなどがあり、これら各種の表示パネルは各種の電子機器などに多用されている。
【０００３】
これら各種の表示パネルのうちで、エレクトロルミネッセンス素子を用いたＥＬパネルは自発光で高速応答性を有し、視野角依存性がなく、低消費電力が期待されるものであり、次世代ディスプレイとして期待されており、例えば、上記したようなＥＬパネルを用いて、給電ステージと合体したときに自立し電磁誘導により電力が伝送されて表示を行う自立表示型パネルがある（例えば、特許文献１参照）。
【０００４】
特許文献１に開示された自立表示型パネルでは、ここでの図示を省略するものの、自立型表示パネルと給電ステージとが合体可能及び分離可能に構成されている。
【０００５】
この際、自立型表示パネルは、受電コイルを有する受電ユニットと、ＥＬパネルなどによるディスプレイとを備えている。一方、給電ステージは、給電コイルを有する給電ユニットを備えている。
【０００６】
尚、受電ユニットに設けられた反射部材及び給電ユニットに設けられたフォトリフレクターは、自立型表示パネルが給電ステージの所定位置で合体しているか否かの位置決めを確認するために使用しているものである。
【０００７】
そして、自立型表示パネルが嵌め合い構造により給電ステージの所定の位置で合体したときに自立し、給電ユニットの給電コイルから受電ユニットの受電コイルに電磁誘導で伝送される電力によって制御部により制御されたディスプレイの表示動作を行い、且つ、機能要素（受）と機能要素（給）を双方向のデータ通信に基づいて給電ユニットと受電ユニットとが協調動作を行う旨が記載されている。
【先行技術文献】
【特許文献】
【０００８】
【特許文献１】特開２００５−２５８２５５号公報
【発明の概要】
【発明が解決しようとする課題】
【０００９】
ところで、上記した特許文献１に開示された自立表示型パネルによれば、給電ユニットから受電ユニットに電磁誘導で伝送される電力によってディスプレイの表示動作を行っているので、電磁誘導の回路構成が複雑でコスト高になってしまうと共に、自立表示パネル側に受電ユニットと受電コイルとを備えなければならないので、自立表示パネル自体の構成が複雑となるなどの問題点が生じている。
【００１０】
更に、双方向のデータ通信に基づいて給電ユニットと受電ユニットとが協調動作を行なっているので、制御動作が複雑となるなどの問題点も生じている。
【００１１】
そこで、表示パネルを有する表示パネルモジュールと、電源及び表示パネル駆動回路を有する表示パネル装着用モジュールとを着脱自在に設け、表示パネルモジュールを表示パネル装着用モジュールに装着して両モジュール同士を電気的に接続したときにのみ表示パネルを駆動できるように簡単な構造により構成した表示パネルモジュール、表示パネル装着用モジュール及び表示装置を提供することを目的とする。
【課題を解決するための手段】
【００１２】
本発明は上記課題に鑑みてなされたものであり、第１の発明は、箱状に形成された筐体と、
前記筐体の前面側に取り付けられた表示パネルと、
前記表示パネルから引き出された一対の第１導電性ワイヤを介して電気的に接続されて、前記筐体の底面側に露出した状態で取り付けられた一対の第１導電性端子と、
を備えたことを特徴とする表示パネルモジュールである。
【００１３】
また、第２の発明は、上記した第１の発明の表示パネルモジュールにおいて、
前記表示パネルは、無機ＥＬパネル，有機ＥＬパネル，液晶パネル，ＬＥＤパネルのうちのいずれか一つであることを特徴とする表示パネルモジュールである。
【００１４】
また、第３の発明は、上記した第１又は第２の発明の表示パネルモジュールを着脱自在に装着するための表示パネル装着用モジュールであって、
前記表示パネルモジュールを位置決めして装着するための装着面を有する表示パネルモジュール支持台と、
前記表示パネルモジュールの前記表示パネルを駆動させるための電源と、
前記装着面側に取り付けられて、前記表示パネルモジュールの前記装着面への装着状態を検出する表示パネル装着状態検出器と、
前記装着面上に前記表示パネルモジュールが装着されているか否かを前記表示パネル装着状態検出器からの出力により判断する制御回路と、
前記制御回路で前記表示パネルモジュールが装着されたと判断したときにのみ前記電源が接続されて表示パネル駆動信号を生成して出力する表示パネル駆動回路と、
前記表示パネル駆動回路から引き出された一対の第２導電性ワイヤを介して電気的に接続され且つ前記表示パネルモジュールに設けた前記一対の第１導電性端子が接離するために前記装着面側に露出した状態で取り付けられた一対の第２導電性端子と、
を備えたことを特徴とする表示パネル装着用モジュールである。
【００１５】
また、第４の発明は、上記した第３の発明の表示パネル装着用モジュールにおいて、
前記表示パネルモジュール支持台は、複数台の前記表示パネルモジュールを前記装着面上に並設可能に載置し、且つ、複数台のうちで最前列に位置する前記表示パネルモジュールのみが前記一対の第１導電性端子と前記一対の第２導電性端子とに電気的に接続されることを特徴とする表示パネル装着用モジュールである。
【００１６】
また、第５の発明は、表示パネルモジュールと、この表示パネルモジュールを装着するための表示パネル装着用モジュールとを着脱自在に構成した表示装置であって、
前記表示パネルモジュールは、箱状に形成された筐体と、
前記筐体の前面側に取り付けられた表示パネルと、
前記表示パネルから引き出された一対の第１導電性ワイヤを介して電気的に接続されて、前記筐体の底面側に露出した状態で取り付けられた一対の第１導電性端子と、を備え、
前記表示パネル装着用モジュールは、前記表示パネルモジュールを位置決めして装着するための装着面を有する表示パネルモジュール支持台と、
前記表示パネルモジュールの前記表示パネルを駆動させるための電源と、
前記装着面側に取り付けられて、前記表示パネルモジュールの前記装着面への装着状態を検出する表示パネル装着状態検出器と、
前記装着面上に前記表示パネルモジュールが装着されているか否かを前記表示パネル装着状態検出器からの出力により判断する制御回路と、
前記制御回路で前記表示パネルモジュールが装着されたと判断したときにのみ前記電源が接続されて表示パネル駆動信号を生成して出力する表示パネル駆動回路と、
前記表示パネル駆動回路から引き出された一対の第２導電性ワイヤを介して電気的に接続され且つ前記表示パネルモジュールに設けた前記一対の第１導電性端子が接離するために前記装着面側に露出した状態で取り付けられた一対の第２導電性端子と、を備え、
前記表示パネルモジュールが前記表示パネル装着用モジュールに装着されて前記表示パネルモジュールに設けた前記一対の第１導電性端子と、前記表示パネル装着用モジュールに設けた前記一対の第２導電性端子とが電気的に接続されたときにのみ、前記表示パネルが駆動されることを特徴とする表示装置である。
【００１７】
また、第６の発明は、上記した第５の発明の表示装置において、
前記表示パネルは、無機ＥＬパネル，有機ＥＬパネル，液晶パネル，ＬＥＤパネルのうちのいずれか一つであることを特徴とする表示装置である。
【００１８】
また、第７の発明は、上記した第６の発明の表示装置において、
前記表示パネルが前記無機ＥＬパネルである場合に、前記表示パネル駆動回路は所定周波数の交流駆動型であることを特徴とする表示装置である。
【００１９】
また、第８の発明は、上記した第６の発明の表示装置において、
前記表示パネルが前記有機ＥＬパネル，前記液晶パネル，前記ＬＥＤパネルのうちのいずれか一つである場合に、前記表示パネル駆動回路は直流駆動型であることを特徴とする表示装置である。
【発明の効果】
【００２０】
本発明に係る表示パネルモジュールによれば、表示パネルを筐体の前面側に取り付け且つ表示パネルから引き出した一対の第１導電性ワイヤを介して接続した一対の第１導電性端子を筐体の底面側に露出した状態で取り付けることで、電源や表示パネル駆動回路を筐体内に設けていないので、表示パネルモジュールに対して軽量化を図ることができ、且つ、表示パネルモジュールを簡単な構造で安価に提供できる。
【００２１】
また、本発明に係る表示パネル装着用モジュールによれば、本発明に係る表示パネルモジュールが表示パネルモジュール支持台の装着面に対して着脱自在に装着され、且つ、表示パネルモジュール支持台の装着面側に表示パネルモジュールに設けた一対の第１導電性端子と対向して一対の第２導電性端子が露出した状態で取り付けられていると共に、装着面側に表示パネル装着状態検出器が取り付けられ、この表示パネル装着状態検出器からの出力により制御回路で表示パネルモジュールが装着されと判断したときにのみ表示パネル駆動回路に電源が接続されて表示パネル駆動信号を生成して出力するので、表示パネルモジュールの表示パネルを確実に駆動でき、且つ、表示パネルモジュールの不使用時に一対の第２導電性端子に対して感電を防止できるために安全性を高めることができ、且つ、不使用時に節電効果も得られると共に、更に、構造が簡単であるので表示パネル装着用モジュールを安価に提供できる。
【００２２】
更に、本発明に係る表示装置によれば、上記した表示パネルモジュールと、上記した表示パネル装着用モジュールとを組み合わせて両モジュール同士が着脱自在に構成されているので、上記した表示パネルモジュールの効果と、上記した表示パネル装着用モジュールの効果の両方が得られ、これにより表示装置は非常に簡易且つ安価なシステムで高い視角的効果を得ることができる。とくに、本発明に係る表示装置において、表示パネルが無機ＥＬパネルである場合には、無機ＥＬパネルに高電圧の交流が印加されるために感電防止対策が重要であるので、表示パネルモジュールが表示パネル装着用モジュールに装着されたときにのみ、一対の第１導電端子及び一対の第２導電端子が外部に露出せずに各第１，第２導電端子に電源が供給されて表示装置が動作するように構成しているために、感電防止対策を確実に施すことができる。
【図面の簡単な説明】
【００２３】
【図１】本発明に係る実施例の表示装置において、表示パネルモジュールを表示パネル装着用モジュールから取り外した状態を模式的に示した斜視図である。
【図２】本発明に係る実施例の表示装置の回路構成を示した回路図である。
【図３】図１及び図２に示した無機ＥＬパネルを拡大して示した構成図である。
【図４】本発明に係る実施例の表示装置において、表示パネルモジュールを表示パネル装着用モジュールに装着した状態を模式的に示した斜視図である。
【図５】本発明に係る表示装置の第１使用形態を示した斜視図である。
【図６】本発明に係る表示装置の第２使用形態を示した斜視図である。
【発明を実施するための形態】
【００２４】
以下に本発明に係る表示パネルモジュール、表示パネル装着用モジュール及び表示装置の一実施例について、図１〜図６を参照して詳細に説明する。
【００２５】
本発明に係る表示パネルモジュール、表示パネル装着用モジュール及び表示装置では、表示パネルを有する表示パネルモジュールと、電源及び表示パネル駆動回路を有する表示パネル装着用モジュールとを着脱自在に設け、表示パネルモジュールを表示パネル装着用モジュールに装着して両モジュール同士を電気的に接続したときにのみ表示パネルを駆動できるように簡単な構造に構成されている。
【００２６】
この際、表示パネルとして、無機ＥＬ（エレクトロルミネッセンス）パネル，有機ＥＬパネル，液晶パネル，ＬＥＤ（発光ダイオード）パネルのうちのいずれか一つが適用可能であるが、以下の実施例では、スクリーン印刷法を用いて安価に製造できる無機ＥＬパネルを適用した場合を中心にして詳述し、有機ＥＬパネル，液晶パネル，ＬＥＤパネルのいずれかを適用した場合については簡略に後述する。
【実施例】
【００２７】
図１は本発明に係る実施例の表示装置において、表示パネルモジュールを表示パネル装着用モジュールから取り外した状態を模式的に示した斜視図である。また、図２は本発明に係る実施例の表示装置の回路構成を示した回路図である。また、図３は図１及び図２に示した無機ＥＬパネルを拡大して示した構成図である。また、図４は本発明に係る実施例の表示装置において、表示パネルモジュールを表示パネル装着用モジュールに装着した状態を模式的に示した斜視図である。また、図５は本発明に係る表示装置の第１使用形態を示した斜視図である。更に、図６は本発明に係る表示装置の第２使用形態を示した斜視図である。
【００２８】
図１及び図２に示した如く、本発明に係る実施例の表示装置１は、表示パネルモジュール１０と、表示パネル装着用モジュール２０とで構成されている。
【００２９】
上記した表示パネルモジュール１０は、筐体１１（図１のみ図示）の前面１１ａ側に無機ＥＬパネルなどを用いた表示パネル（以下、無機ＥＬパネルと記す）１２が取り付けられ、且つ、底面１１ｂ側に一対の第１導電性端子１４，１４が取り付けられた状態で独立してモジュール化されている。
【００３０】
この際、表示パネル１２は、筐体１１に別体の形態で取り付ける方法と、スクリーン印刷などにより筐体１１に直接形成する方法とがあり、いずれの方法でも良い。
【００３１】
また、表示パネル装着用モジュール２０は、表示パネルモジュール支持台２１内に電源２２及び表示パネル駆動回路（以下、ＥＬパネル駆動回路と記す）２５が内蔵され、且つ、上面２１ａ側に一対の第２導電性端子１７，１７が取り付けられた状態で独立してモジュール化されている。
【００３２】
更に、表示パネルモジュール１０と、表示パネル装着用モジュール２０とが着脱自在に設けられており、表示パネルモジュール１０を表示パネル装着用モジュール２０に電気的に接続したときにのみ無機ＥＬパネル１２を駆動できるように構成されている。
【００３３】
より具体的に説明すると、上記した表示パネルモジュール１０は、非導電性の樹脂材又はパッケージ用紙材などを用いて箱状に形成された筐体１１と、筐体１１の前面１１ａ側に取り付けられた無機ＥＬパネル１２と、無機ＥＬパネル１２から引き出された一対の第１導電性ワイヤ１３，１３を介して電気的に接続され且つ筐体１１の底面１１ｂ側に露出して取り付けられた一対の第１導電性端子１４，１４とから構成されている。
【００３４】
一方、上記した表示パネル装着用モジュール２０は、非導電性の樹脂材を用いて箱状に形成され且つ上面２１ａ側に表示パネルモジュール１０を位置決めして装着するための位置決め用凹状装着面２１ｂを浅く凹状に形成した表示パネルモジュール支持台２１と、表示パネルモジュール１０側の無機ＥＬパネル１２を駆動させるために表示パネルモジュール支持台２１内に設けられて３Ｖ，４Ｖ，５Ｖ，６Ｖ，９Ｖのうちのいずれかの電圧の乾電池を用いた直流電源２２と、表示パネルモジュール１０の位置決め用凹状装着面２１ｂへの装着状態を検出するために表示パネルモジュール支持台２１の位置決め用凹状装着面２１ｂ側に露出して取り付けられて例えばＣｄＳ（硫化カドミウム）などを用いた表示パネル装着状態検出器（以下、ＣｄＳと記す）２３と、ＣｄＳ２３からの出力により表示パネルモジュール１０が装着されているか否かを判断して直流電源２２との接続をオン／オフ制御するスイッチ２４ａを有する制御回路２４と、制御回路２４で表示パネルモジュール１０が装着されていると判断されたときにのみ直流電源２２からの直流が印加されてこの直流を交流に変換して無機ＥＬパネル１２を駆動するための表示パネル駆動信号を生成して出力するための表示パネル駆動回路（以下、ＥＬパネル駆動回路と記す）２５と、ＥＬパネル駆動回路２５から引き出された一対の第２導電性ワイヤ２６，２６を介して電気的に接続され且つ上記した筐体１１の底面１１ｂ側に露出して取り付けられた一対の第１導電性端子１４，１４に対して接離自在に対向して表示パネルモジュール支持台２１の位置決め用凹状装着面２１ｂ側に露出して取り付けられた一対の第２導電性端子２７，２７とから構成されている。
【００３５】
この際、図２に示したように、直流電源２２とＣｄＳ２３とが接続された制御回路２４内には、ボリームＶＲと、抵抗Ｒ１，Ｒ２と、電界効果トランジスタＦＥＴと、トランジスタＴＲとが図示のように接続されており、ＣｄＳ２３からの出力に応じて電界効果トランジスタＦＥＴにより直流電源２２との接続がオン／オフ制御されるので、電界効果トランジスタＦＥＴがスイッチ２４ａとして機能している。
【００３６】
また、一対の第２導電性端子２７，２７は、表示パネルモジュール支持台２１の位置決め用凹状装着面２１ｂ上で導電性を有する金属製板バネを用いて一対の第１導電性端子１４，１４側に向かって弾性変位可能に突出形成されているので、一対の第２導電性端子２７，２７が一対の第１導電性端子１４，１４に確実に当接でき、第１，第２導電性端子同士が電気的に良好に接続することができるようになっている。
【００３７】
ここで、上記した筐体１１は、背面１１ｃ側の左右のコーナ部位に一対の面取り部１１ｄ，１１ｄが左右対称に形成されており、これに伴って、上記した表示パネルモジュール支持台２１は位置決め用凹状装着面２１ｂの背面２１ｃ側の左右に一対の面取り凹部２１ｄ，２１ｄが左右対称に形成されているので、表示パネルモジュール１０を表示パネル装着用モジュール２０に装着する際に筐体１１の一対の面取り部１１ｄ，１１ｄと表示パネルモジュール支持台２１の一対の面取り凹部２１ｄ，２１ｄとを一致させることで前後左右が位置決めされるようになっている。
【００３８】
この際、無機ＥＬパネル１２は前述したように交流駆動であるので、筐体１１に設けた一対の第１導電性端子１４，１４及び表示パネルモジュール支持台２１に設けた一対の第２導電性端子２７，２７は共に極性を持つ必要がないために、筐体１１と表示パネルモジュール支持台２１とを前後左右に反転させて両者１１，２１を接合しても何等の支障が生じないので、一対の第１導電性端子１４，１４及び一対の第２導電性端子２７，２７を筐体１１及び表示パネルモジュール支持台２１に対して前後左右対称に取り付けた場合には、筐体１１側の一対の面取り部１１ｄ，１１ｄ及び表示パネルモジュール支持台２１側の一対の面取り凹部２１ｄ，２１ｄを省いても良い。
【００３９】
また、図３に拡大して示した如く、無機ＥＬパネル１２は、一般的に、スクリーン印刷法を用いてパターンニングと、１２０℃〜１５０℃程度の乾燥（硬化）とにより、透明なＰＥＴ（ポリエチレンテレフタレート）フィルム１２ａ上に５層構造で安価に製作されている。
【００４０】
即ち、無機ＥＬパネル１２は、透明なＰＥＴフィルム１２ａ上に、ＩＴＯ（Ｉｎｄｉｕｍ  Ｔｉｎ  Ｏｘｉｄｅ）ペーストなどを用いて成膜された透明電極１２ｂと、硫化亜鉛などを基質とし銅などの単色発光する物質を添加して透明電極１２ｂ上に成膜された無機発光層１２ｃと、発光に寄与しない漏れ電流を防止すると共に絶縁耐圧を確保するためにチタン酸バリウム粉などを用いて無機発光層１２ｃ上に成膜された耐圧誘電層１２ｄと、カーボングラファイト系の導電性フィラーを用いて耐圧誘電層１２ｄ上に成膜された背面電極１２ｅと、無機発光層１２ｃ及び耐圧誘電層１２ｄ並びに背面電極１２ｅを保護するためにポリエステル系樹脂を用いて背面電極１２ｅ上に成膜されたレジスト層１２ｆとを備え、更に、透明電極１２ｂ側の取出し電極１２ｂ１及び背面電極１２ｅ側の取出し電極１２ｅ１に一対の第１導電性ワイヤ１３，１３が接続されて構成されている。
【００４１】
そして、一対の第１導電性ワイヤ１３，１３を介して透明電極１２ｂと背面電極１２ｅとの間に例えば１００Ｖ程度で４００Ｈｚ〜１０００Ｈｚの範囲内の所定周波数の交流を印加することで、無機発光層１２ｃ内で電界によって加速した電子が無機化合物の蛍光体に衝突しその発光中心が励起されて発光した光が透明電極１２ｂ及び透明なＰＥＴフィルム１２ａを通して出射されるものである。
【００４２】
ここで、再び図１及び図２に戻り、表示パネル装着状態検出器となるＣｄＳ２３は、硫化カドミウムを用いた光センサであり、光が当たることで光量に比例して抵抗値が変化して、ＣｄＳ２３に入射する光の光量が多ければ抵抗値が低くなるものである。
【００４３】
従って、ＣｄＳ２３の抵抗値変化に対して制御回路２４内で表示パネルモジュール１０が装着されたときの抵抗値を記憶してこれに対応した閾値を設定しておけば、表示パネルモジュール１０が表示パネル装着用モジュール２０に装着されていない場合にＣｄＳ２３に外部からの光量が多量に入るので抵抗値が低くなり制御回路２４で装着されていないと判断され、一方、表示パネルモジュール１０が表示パネル装着用モジュール２０に装着されている場合に筐体１１の底面１１ｂで光が遮られてＣｄＳ２３に光量が入らないので抵抗値が高くなり制御回路２４で装着されていると判断される。
【００４４】
尚、この実施例では、表示パネル装着状態検出器として使用勝手が良く安価なＣｄＳ２３を用いているが、これに限ることなく、発光部と受光部とを有する光センサとか、単なる押し釦スイッチなどを用いることも可能である。
【００４５】
また、上記したＥＬパネル駆動回路２５は、ＤＣ−ＡＣインバータを用いて交流駆動型に構成されており、表示パネルモジュール１０が装着されているときにのみ直流電源２２からの直流が印加されてこの直流を例えば１００Ｖ程度で４００Ｈｚ〜１０００Ｈｚの範囲内の所定周波数の交流に変換して、交流の表示パネル駆動信号を生成して出力することで、前述したように無機ＥＬパネル１２を駆動して発光させることができるので、この無機ＥＬパネル１２から発光した光を用いて例えば画像情報や文字情報を表示したり、あるいは、バックライト用の照明光を表示できる。
【００４６】
この際、ＥＬパネル駆動回路２５から出力される表示パネル駆動信号による発光パターンとしては、無機ＥＬパネル１２を点灯するだけでなく、所定の間隔で点滅させるとか、表示ヵ所順に順次発光させるなどを採用すれば無機ＥＬパネル１２の視覚的効果がより向上する。
【００４７】
そして、図１に示したように、表示パネルモジュール１０が表示パネル装着用モジュール２０から取り外されているときには、表示パネルモジュール支持台２１の位置決め用凹状装着面２１ｂ側に取り付けたＣｄＳ２３に外部からの光量が多量に入り抵抗値が低くなり、制御回路２４で表示パネルモジュール１０が装着されていないと判断されるので、制御回路２４内のスイッチ２４ａがオフ状態となるために、直流電源２２からの直流がＥＬパネル駆動回路（ＤＣ−ＡＣインバータ）２５に印加できずに表示パネル装着用モジュール２０が不使用状態に至っている。
【００４８】
一方、図４に示したように、表示パネルモジュール１０側の筐体１１の底面１１ｂを表示パネル装着用モジュール２０側の表示パネルモジュール支持台２１の位置決め用凹状装着面２１ｂ上に位置決めして装着したときには、筐体１１の底面１１ｂ側に取り付けた一対の第１導電性端子１４，１４と、表示パネルモジュール支持台２１の位置決め用凹状装着面２１ｂ側に取り付けた一対の第２導電性端子２７，２７とが電気的に接続され、且つ、筐体１１の底面１１ｂで外部からの光が遮られるために、表示パネルモジュール支持台２１の位置決め用凹状装着面２１ｂ側に取り付けたＣｄＳ２３に光が入らずに抵抗値が低くなり、制御回路２４で表示パネルモジュール１０が装着されていると判断される。
【００４９】
これにより、制御回路２４内のスイッチ２４ａがオン状態となるために、直流電源２２からの直流がスイッチ２４ａを通ってＥＬパネル駆動回路（ＤＣ−ＡＣインバータ）２５に印加され、このＥＬパネル駆動回路（ＤＣ−ＡＣインバータ）２５内で直流電源２２からの直流を例えば１００Ｖ程度で４００Ｈｚ〜１０００Ｈｚの範囲内の所定周波数の交流に変換して、交流の表示パネル駆動信号を生成して出力し、この交流の表示パネル駆動信号を一対の第２導電性ワイヤ２６，２６と、一対の第２導電性端子２７，２７と、一対の第１導電性端子１４，１４と、一対の第１導電性ワイヤ１３，１３とを順に介して無機ＥＬパネル１２に供給することで、無機ＥＬパネル１２を駆動して発光させることができる。
【００５０】
ここで、上記のように構成した本発明に係る表示装置の使用形態について、図５及び図６を用いて簡略に説明する。
【００５１】
まず、図５に示した如く、第１使用形態の表示装置１Ａは、店頭などでディスプレイやＰＯＰ（Ｐｏｉｎｔ  Ｏｆ  Ｐｕｒｃｈａｓｅ）として陳列されており、表示パネルモジュール１０に表示された表示内容を顧客が見ることにより高い視覚的効果及び宣伝効果が得られるように使用されている。
【００５２】
この際、表示パネルモジュール１０と表示パネル装着用モジュール２０Ａとが着脱自在になっている。そして、表示パネルモジュール１０側では、筐体１１ａの前面１１ａ側に無機ＥＬパネル１２が取り付けられ且つ筐体１１の底面１１ｂに一対の第１導電性端子１４，１４が露出した状態で取り付けられている。一方、表示パネル装着用モジュール２０Ａ側では、円形状に形成された表示パネルモジュール支持台２１Ａの位置決め用凹状装着面２１ｂ側にＣｄＳ２３及び一対の第２導電性端子２７，２７がそれぞれ露出した状態で取り付けられている。
【００５３】
また、表示パネルモジュール１０側の筐体１１の前面１１ａ側に取り付けた無機ＥＬパネル１２は、不図示の電極上に例えば「ＮＥＷ！」などの文字情報がスクリーン印刷法により予めパターンニィングされているので、表示パネルモジュール１０を表示パネル装着用モジュール２０Ａ側の表示パネルモジュール支持台２１Ａ上に装着したときにのみ、無機ＥＬパネル１２が駆動されて「ＮＥＷ！」などの文字情報が明るく表示されるので、顧客に対して店頭での宣伝効果を高めることができる。
【００５４】
次に、図６に示した如く、第２使用形態の表示装置１Ｂも、前記した第１使用形態の表示装置１Ａと同様に、店頭などでディスプレイやＰＯＰ（Ｐｏｉｎｔ  Ｏｆ  Ｐｕｒｃｈａｓｅ）として陳列されており、表示パネルモジュール１０に表示された表示内容を顧客が見ることにより高い視覚的効果及び宣伝効果が得られるように使用されている。
【００５５】
この際、表示パネルモジュール１０と表示パネル装着用モジュール２０Ｂとが着脱自在になっており、且つ、表示パネル装着用モジュール２０Ｂ側の表示パネルモジュール支持台２１Ｂは、この位置決め用凹状装着面２１ｂ上に複数台の表示パネルモジュール１０を並設可能に搭載できるように奥行き方向が長尺な直方体に形成されている。
【００５６】
そして、複数台の表示パネルモジュール１０それぞれは、筐体１１ａの前面１１ａ側に無機ＥＬパネル１２が取り付けられ且つ筐体１１の底面１１ｂ側に一対の第１導電性端子１４，１４が露出した状態で取り付けられている。
【００５７】
一方、表示パネルモジュール支持台２１Ｂの位置決め用凹状装着面２１ｂ側では、複数台のうちで最前列の表示パネルモジュール１０に対応する位置にのみＣｄＳ２３及び一対の第２導電性端子２７，２７がそれぞれ露出した状態で取り付けられているので、複数台のうちで最前列に位置する表示パネルモジュール１０のみがこの筐体１１に設けた一対の第１導電性端子１４，１４と表示パネルモジュール支持台２１Ｂに設けた一対の第２導電性端子２７，２７とに電気的に接続されて、最前列に位置する表示パネルモジュール１０の無機ＥＬパネル１２のみが駆動されて「ＮＥＷ！」などの文字情報が明るく表示されて店頭での宣伝効果が得られるようになっているが、最前列以外の残りの複数の表示パネルモジュール１０に対しては電気的な接続がされていないので電力の無駄が生じることなく、最前列以外の残りの複数の無機ＥＬパネル１２に対して発光寿命も延びる。
【００５８】
従って、最前列に位置する表示パネルモジュール１０を表示パネルモジュール支持台２１Ｂ上から取り外したときに、この後ろの表示パネルモジュール１０が最前列に移動することで再び表示が可能になるように構成されている。
【００５９】
尚、最前列に位置する表示パネルモジュール１０を表示パネルモジュール支持台２１Ｂ上から取り外したときに、この後ろの表示パネルモジュール１０を最前列に自動的に移動させるために、最後尾の表示パネルモジュール１０をバネなどで前方に向かって押圧したり、あるいは、表示パネルモジュール支持台２１Ｂの位置決め用凹状装着面２１ｂに傾斜をつけて各表示パネルモジュール１０を自重により前方に向かって移動させるような構造にすれば、第２使用形態の表示装置１Ｂがより一層使い易くなるものである。
【００６０】
ここで、上記した実施例では、表示パネルモジュール１０側に設けられる表示パネルとして、前述したように、スクリーン印刷法を用いて安価に製造できる無機ＥＬパネルを適用した場合について詳述したが、有機ＥＬパネル，液晶パネル，ＬＥＤパネルのいずれかを適用した場合も可能であり、有機ＥＬパネル，液晶パネル，ＬＥＤパネルのいずれかを適用した場合について図示を省略しては簡略に説明する。
【００６１】
まず、表示パネルとして有機ＥＬパネルを適用した場合に、有機ＥＬパネルは、一般的に、透明なガラス基板上に、陽極となる透明なＩＴＯ層と、正孔輸送層と、有機発光層と、陰極とが順に積層して成膜されており、陽極と陰極との間に例えば５Ｖ程度の直流電源からの電界を印加して、この電界によって電子と正孔とを有機発光層中に注入し、その電子と正孔の再結合によって生じた励起子によって発光するものであるので、有機ＥＬパネルを表示パネルモジュール側の筐体に取り付けた場合には、表示パネル装着用モジュール側に設けたＥＬパネル駆動回路が直流駆動型となり、このＥＬパネル駆動回路から直流の表示パネル駆動信号を生成して出力することで、有機ＥＬパネルを駆動することができる。
【００６２】
次に、表示パネルとして液晶パネルを適用した場合に、液晶パネルは、一般的に、油状の透明な液晶材料が２枚の透明なガラス基板間にサンドイッチされ、周りがシールされた構造を有しており、各透明基板の内面に成膜した一対の透明電極間に直流電源からの電圧を印加してオン／オフ制御することによって明暗を表示できるものであるので、液晶パネルを表示パネルモジュール側の筐体に取り付けた場合には、表示パネル装着用モジュール側に設けた液晶パネル駆動回路も直流駆動型となり、この液晶パネル駆動回路から直流の表示パネル駆動信号を生成して出力することで、液晶パネルを駆動することができる。
【００６３】
次に、表示パネルとしてＬＥＤパネルを適用した場合に、ＬＥＤパネルは、一般的に、複数のＬＥＤがアレイ状に配列された構造を有しており、所望のＬＥＤに直流電源からの電圧を印加してオン／オフ制御することによって明暗を表示できるものであるので、ＬＥＤパネルを表示パネルモジュール側の筐体に取り付けた場合には、表示パネル装着用モジュール側に設けたＬＥＤパネル駆動回路も直流駆動型となり、このＬＥＤパネル駆動回路から直流の表示パネル駆動信号を生成して出力することで、ＬＥＤパネルを駆動することができる。
【００６４】
上述したように、本発明に係る表示パネルモジュール１０によれば、表示パネル１２を筐体１１の前面１１ａ側に取り付け且つ表示パネル１２から引き出した一対の第１導電性ワイヤ１３，１３を介して接続した一対の第１導電性端子１４，１４を筐体１１の底面１１ｂ側に露出した状態で取り付けることで、電源や表示パネル駆動回路を筐体１１内に設けていないので、表示パネルモジュール１０に対して軽量化を図ることができ、且つ、表示パネルモジュール１０を簡単な構造で安価に提供できる。
【００６５】
また、本発明に係る表示パネル装着用モジュール２０によれば、本発明に係る表示パネルモジュール１０が表示パネルモジュール支持台２１の位置決め用凹状装着面２１ｂに対して着脱自在に装着され、且つ、表示パネルモジュール支持台２１の位置決め用凹状装着面２１ｂ側に表示パネルモジュール１０側に設けた一対の第１導電性端子１３，１３と対向して一対の第２導電性端子２７，２７が露出した状態で取り付けられていると共に、位置決め用凹状装着面２１ｂ側に表示パネル装着状態検出器２３が取り付けられ、この表示パネル装着状態検出器２３からの出力により制御回路２４で表示パネルモジュール１０が装着されと判断したときにのみ表示パネル駆動回路２５に電源が接続されて表示パネル駆動信号を生成して出力するので、表示パネルモジュール１０側の表示パネル１２を確実に駆動でき、且つ、表示パネルモジュール１０の不使用時に一対の第２導電性端子２７，２７に対して感電を防止できるために安全性を高めることができ、且つ、不使用時に節電効果も得られると共に、更に、構造が簡単であるので表示パネル装着用モジュール２０を安価に提供できる。
【００６６】
更に、本発明に係る表示装置１によれば、上記した表示パネルモジュール１０と、上記した表示パネル装着用モジュール２０とを組み合わせて両モジュール同士が着脱自在に構成されているので、上記した表示パネルモジュール１０の効果と、上記した表示パネル装着用モジュール２０の効果の両方が得られ、これにより表示装置１は非常に簡易且つ安価なシステムで高い視角的効果を得ることができる。
【００６７】
とくに、本発明に係る表示装置１において、表示パネルが無機ＥＬパネル１２である場合には、無機ＥＬパネル１２に高電圧の交流が印加されるために感電防止対策が重要であるので、表示パネルモジュール１０が表示パネル装着用モジュール２０に装着されたときにのみ、一対の第１導電端子１４，１４及び一対の第２導電端子２７，２７が外部に露出せずに各第１，第２導電端子１４，２７に電源２２が供給されて表示装置１が動作するように構成しているので、感電防止対策を確実に施すことができる。
【符号の説明】
【００６８】
１…表示装置、
１０…表示パネルモジュール、
１１…筐体、１１ａ…前面、１１ｂ…底面、１１ｃ…背面、
１１ｄ，１１ｄ…一対の面取り部、
１２…表示パネル（無機ＥＬパネル）、
１３，１３…一対の第１導電性ワイヤ、
１４，１４…一対の第１導電性端子、
２０…表示パネル装着用モジュール、
２１…表示パネルモジュール支持台、２１ａ…上面、２１ｂ…位置決め用凹状装着面、
２１ｃ…背面、２１ｄ，２１ｄ…一対の面取り凹部、
２２…直流電源、２３…表示パネル装着状態検出器（ＣｄＳ）、
２４…制御回路、２４ａ…スイッチ、
２５…表示パネル駆動回路（ＥＬパネル駆動回路）、
２６，２６…一対の第２導電性ワイヤ、
２７，２７…一対の第２導電性端子。
【図１】
2010181575.tif 000003
【図２】
2010181575.tif 000004
【図３】
2010181575.tif 000005
【図４】
2010181575.tif 000006
【図５】
2010181575.tif 000007
【図６】
2010181575.tif 000008